(57)【要約】【課題】光モジュール等の構造体の収納トレイからの取り出しを容易にする。【解決手段】光モジュール２１の保護対象部位に勘合されて保護対象部位を保護する保護キャップ２２に、起立している取っ手２３を外表面に設ける。開梱作業において、開梱作業者が取っ手２３を引き上げればピンセット等の工具を使用することなく容易に収納トレイ１１の収納部１２から光モジュール２１を取り出すことが可能となる。【選択図】図２
2014048482.tif 000002
【特許請求の範囲】
【請求項１】
構造体の保護対象部位に勘合されて前記保護対象部位を保護する保護キャップであって、
起立している突出部を外表面に備えることを特徴とする保護キャップ。
【請求項２】
前記突出部は、
収納トレイに収納されている前記構造体が前記収納トレイから取り出される方向に起立していることを特徴とする請求項１に記載の保護キャップ。
【請求項３】
前記保護キャップが前記保護対象部位に勘合されている状態で前記構造体とともに前記収納トレイに収納されているときに、前記突出部が引っ張られると、前記構造体と前記保護キャップとの勘合により、前記構造体と前記保護キャップとが前記収納トレイから取り出されることを特徴とする請求項２に記載の保護キャップ。
【請求項４】
前記突出部は、
人の手でつまめる形状であることを特徴とする請求項１〜３のいずれかに記載の保護キャップ。
【請求項５】
前記突出部は、
棒状であることを特徴とする請求項１〜４のいずれかに記載の保護キャップ。
【請求項６】
前記保護キャップは、
前記収納トレイに被せられるカバーで押圧されていないときは起立しており、前記カバーで押圧されているときは弾性変形して倒れている突出部を外表面に備えることを特徴とする請求項１〜５のいずれかに記載の保護キャップ。
【請求項７】
前記保護キャップは、
前記突出部と前記外表面とが一体成形されていることを特徴とする請求項１〜６のいずれかに記載の保護キャップ。
【請求項８】
前記保護キャップは、
光モジュール装置の受光部又は発光部に勘合されて前記光モジュール装置の受光部又は発光部を保護することを特徴とする請求項１〜７のいずれかに記載の保護キャップ。
【請求項９】
構造体の保護対象部位を保護する保護キャップを前記保護対象部位に勘合し、前記構造体と前記保護キャップとを収納トレイに収納し、前記構造体と前記保護キャップとが収納されている前記収納トレイにカバーを被せる構造体収納方法であって、
弾性変形する棒状の突出部を外表面に備える保護キャップを前記保護対象部位に勘合し、
前記保護キャップの前記突出部が起立した状態で前記構造体と前記保護キャップとを収納トレイに収納し、
前記構造体と前記保護キャップとが収納されている前記収納トレイに前記カバーを被せる際に、起立している前記突出部を前記カバーで押圧して前記突出部を弾性変形させて倒すことを特徴とする構造体収納方法。
【発明の詳細な説明】
【技術分野】
【０００１】
本発明は、構造体の保護対象部位を保護する保護キャップ及び構造体を収納する構造体収納方法に関する。
以下では、光モジュール装置（以下、単に「光モジュール」という）を構造体の例にとり、主に、光モジュールの保護キャップ及び光モジュールの収納方法について説明する。
【背景技術】
【０００２】
光モジュールの包装装置においては、光モジュール受光部および発光部を埃や損傷から保護する観点から、受光部および発光部に保護キャップを装着することが必要である。
光モジュールの包装装置は、保護キャップを取り付けた状態で収納トレイ等に収納し、カバーをした状態で出荷される（例えば、特許文献１）。
【０００３】
従来の包装装置では、収納トレイ等への光モジュールの収納は、光モジュールの不用意な脱落を回避するために、例えば製品を勘合して保持する構造となっている。
【先行技術文献】
【特許文献】
【０００４】
【特許文献１】実用新案登録第３０７７６７８号
【発明の概要】
【発明が解決しようとする課題】
【０００５】
このような包装装置から光モジュールを取り出す際、光モジュールの大きさ、収納間隔、勘合構造のため、ピンセット等を用いた取り出し作業が必要であった。
光モジュールの収納トレイには、保護キャップを装着した状態の光モジュールの輪郭に沿った凹型の収納部が設けられ、収納トレイへの収納時に光モジュールは保護キャップを装着された状態で収納部に嵌め込まれる。
光モジュールの脱落防止のため、光モジュールと収納部の間には隙間が殆どなく、また、通常、収納トレイの収納効率を高めるために収納部の間の間隔は狭い。
このため、収納トレイから光モジュールを取り出す際には、作業者はピンセット等の工具を用いて光モジュールを取り出す作業が必要である。
このため、従来は、開梱作業や、取り出し作業工数が増えるという課題がある。
また、ピンセット等の工具を用いるため、取り出し作業に多大な労力及び時間を要するという課題がある。
また、取り出しの際に光モジュールが工具から落下し、光モジュールが破損するおそれがある。
【０００６】
本発明は、このような課題が解決することを主な目的としており、構造体の取り出しを容易にすることを主な目的とする。
【課題を解決するための手段】
【０００７】
本発明に係る保護キャップは、
構造体の保護対象部位に勘合されて前記保護対象部位を保護する保護キャップであって、
起立している突出部を外表面に備えることを特徴とする。
【発明の効果】
【０００８】
本発明によれば、保護キャップの外表面に起立している突出部が設けられているので、突出部を手でつまみ上げることにより、構造体を収納トレイから引き出すことが可能であり、ピンセット等の工具を用いなることなく、容易に構造体を取り出すことができる。
【図面の簡単な説明】
【０００９】
【図１】実施の形態１に係る保護キャップを装着した光モジュールの例を示す図。
【図２】実施の形態１に係る収納トレイに収納された光モジュールの例を示す図。
【図３】実施の形態１に係るカバーを被せられた収納トレイの例を示す図。
【図４】実施の形態１に係る保護キャップを装着した光モジュールの例を示す図。
【図５】実施の形態１に係る保護キャップを装着した光モジュールの例を示す図。
【図６】従来の保護キャップを装着した光モジュールの例を示す図。
【発明を実施するための形態】
【００１０】
実施の形態１．
本実施の形態では、ピンセットなどの工具を使用することなく、開梱作業者が手作業で光モジュールを取り出すことが可能な保護キャップ及び光モジュールの収納方法を説明する。
【００１１】
図１は、本実施の形態における保護キャップが装着された光モジュールの例を示す。
【００１２】
符号２１は光モジュールであり、符号２２は保護キャップであり、符号２３は保護キャップ２２の外表面に設けられた突出部である取っ手２３である。
光モジュール２１は保護が必要な保護対象部位に対して保護キャップ２２が装着される。
具体的には、光モジュール２１の受光部や発光部に、埃や外力による損傷から保護するために保護キャップ２２が取り付けられる。
保護キャップ２２は、樹脂製であり、取っ手２３は保護キャップ２２の他の部位と一体成形されている。
保護キャップ２２の材料は、既に広く用いられている樹脂であってもよい。
なお、保護キャップ２２は容易に弾性変形する樹脂材料を用いることを前提としている。
取っ手２３は、図１に示すように、棒状であり起立している。
なお、取っ手２３は、開梱作業者が手でつまめる形状であれば、棒状に限らない。
板状であってもよいいし、こぶ状であってもよい。
また、棒状の取っ手２３の場合でも、図１のように円形の断面でなく、三角形の断面や四角形の断面等であってもよい。
なお、後述するように、光モジュール２１の取り出しの際に取っ手２３が引っ張られて光モジュール２１が取り出されるので、取っ手２３は、人の手による通常の引っ張りによっても破断しない材料、寸法、形状である必要がある。
【００１３】
保護キャップ２２を取り付けられた光モジュール２１は、輸送のための包装装置、例えば収納トレイに収納される。
図２は、光モジュール２１が収納トレイに収納された状態を示す。
【００１４】
図２において、符号１１は収納トレイであり、符号１２は収納トレイ１１内の収納部である。
収納部１２は、保護キャップ２２が勘合された光モジュール２１の輪郭に沿った凹型のホルダーである。
光モジュール２１は保護キャップ２２が勘合されて、収納部１２に収納される。
収納部１２には光モジュール２１を勘合する構造がなされており、不用意な光モジュール２１の収納トレイ１１からの脱落を防ぐ。
つまり、光モジュール２１の脱落防止のため、光モジュール２１と収納部１２の間には隙間が殆どない。
収納トレイ１１に光モジュール２１が収納されると、収納トレイ１１にカバー１０を取り付けて、包装状態を得る。
なお、収納トレイ１１及びカバー１０は既存のものでよい。
【００１５】
図３は、収納トレイ１１にカバー１０が被せられた状態を示す。
図３に示すように、光モジュール２１は保護キャップ２２が装着され、収納トレイ１１に収納され、カバー１０が被せられた状態で出荷される。
【００１６】
カバー１０が被せられる前は、図２に示すように、カバー１０で押圧されていないので取っ手２３は起立しているが、カバー１０が被せられると、図３に示すように、カバー１０で押圧され、取っ手２３が弾性変形して倒れる。
取っ手２３が弾性変形しないと、カバー１０を閉めた際に取っ手２３が邪魔になるため、カバー１０に取っ手２３の逃がしのための構造（穴等）が必要となる。
しかし、保護キャップ２２は容易に弾性変形する樹脂により成形されているため、図３に示すように、カバー１０を閉めても取っ手２３が柔軟に変形し、支障なくカバー１０をすることが可能である。
【００１７】
収納トレイ１１から光モジュール２１を取り出す際は、この取っ手２３を引き上げることによって、ピンセット等の作業工具なしで、光モジュール２１を取り出すことが可能となる。
つまり、開梱作業では、開梱作業者は、図３のカバー１０がされた状態から、図２のように、カバー１０を上げる。
カバー１０を上げると、倒されていた取っ手２３はカバー１０による押圧から解放されるので、図２に示すように光モジュール２１が取り出される方向に起立する。
このため、開梱作業者は、各光モジュール２１の保護キャップ２２の取っ手２３を手でつまみ上げることができる。
保護キャップ２２は光モジュール２１に勘合されているので、取っ手２３が引っ張られると光モジュール２１が収納部１２から取り出され、ピンセット等の工具なしに光モジュール２１を取り出すことができる。
【００１８】
従来は、図６に示すように、取っ手２３がない保護キャップ２２が光モジュール２１に装着されていた。
このため、図６の保護キャップ２２が装着された光モジュール２１を収納トレイ１１から取り出す際には、ピンセット等の工具が必要であった。
しかし、本実施の形態では、取っ手２３をつまみ上げることにより、ピンセット等の工具を用いることなく、容易に光モジュール２１を収納トレイ１１から取り出すことができる。
【００１９】
以上のように、本実施の形態に係る保護キャップ及び収納方法は、（１）キャップ機能による光モジュールの保護、（２）光モジュールの取り出し作業性、を著しく改善するものである。
【００２０】
また、光モジュールを取っ手により手でつまみ上げることができるので、光モジュールの落下のおそれが少ない。
【００２１】
なお、図１の取っ手２３は、引き上げ方向に直立しているが、例えば、図４に例示するように、引き上げ方向から傾いていてもよい。
また、図４では、Ｘ方向に傾いて起立している取っ手２３の例を示しているが、Ｚ方向に傾いて起立している取っ手２３であってもよい。
【００２２】
また、図５のように保護キャップ２２の先端部分に取っ手２３を設けてもよい。
なお、図５のように保護キャップ２２の先端に取っ手２３を設ける場合は、光モジュール２１を収納部１２に収納する際に邪魔にならないように、保護キャップ２２の上半分の位置に取っ手２３を設ける必要がある。
【００２３】
以上、本実施の形態では、製品を保持・固定するトレイ、およびカバー、取っ手付きキャップからなる光モジュール用包装装置を説明した。
【００２４】
また、前記包装装置の取っ手付きキャップの取っ手は、トレイにカバーをすることによって、容易に弾性変形することを説明した。
【００２５】
なお、これまで、構造体の例として光モジュールを用いて説明を進めたが、光モジュールに限らず、保護対象部位に保護キャップを勘合するような構造体であれば、どのようなものも本発明の適用の対象となる。
【符号の説明】
【００２６】
１０  カバー、１１  収納トレイ、１２  収納部、２１  光モジュール、２２  保護キャップ、２３  取っ手。
【図１】
2014048482.tif 000003
【図２】
2014048482.tif 000004
【図３】
2014048482.tif 000005
【図４】
2014048482.tif 000006
【図５】
2014048482.tif 000007
【図６】
2014048482.tif 000008